(57)【要約】【課題】高速振動するバイブレータの接触面が使用中に所望の位置からずれることを防止するためのバイブレータ用安定具、及びそのような安定具を備えたバイブレータを提供すること。【解決手段】バイブレータ１０に取り付けられてバイブレータ１０の姿勢を人体に対して安定させるための安定具１が提供される。安定具１は、安定具１をバイブレータ１０に取り付けるための取付部材２と、前記取付部材２に連結されると共に人体に当接する当接部材３とを備え、前記当接部材３は、人体の当接部位における表面形状に対応して形成されている。【選択図】      図２
2008125869.tif 000002
【特許請求の範囲】
【請求項１】
バイブレータに取り付けられてこのバイブレータの姿勢を人体に対して安定させるための安定具であって、
前記安定具を前記バイブレータに取り付けるための取付部材と、
前記取付部材に連結されると共に人体に当接する当接部材とを備え、
前記当接部材は、人体の当接部位における表面形状に対応して形成されていることを特徴とする安定具。
【請求項２】
請求項１に記載の安定具であって、前記当接部材が、略円形の断面を有する管状部材であることを特徴とする安定具。
【請求項３】
請求項１に記載の安定具であって、前記当接部材が、略楕円形の断面を有する管状部材であることを特徴とする安定具。
【請求項４】
請求項１に記載の安定具であって、前記当接部材が、一定の厚みを有する板状部材であり、且つ、前記人体の前記当接部位における表面形状に対応して湾曲していることを特徴とする安定具。
【請求項５】
請求項１乃至４のいずれか１項に記載の安定具であって、前記取付部材は、前記取付部材を屈曲させることを可能にする角度調整機構を備えていることを特徴とする安定具。
【請求項６】
請求項１乃至５のいずれか１項に記載の安定具であって、前記取付部材は、前記バイブレータにおける人体との接触面と前記当接部材との間隔を調節するように前記取付部材を伸縮させるための長さ調整機構を備えていることを特徴とする安定具。
【請求項７】
請求項１乃至６のいずれか１項に記載の安定具であって、前記安定具は、さらに、前記バイブレータの電源供給ケーブルを巻きつけるための一対の鉤部を有していることを特徴とする安定具。
【請求項８】
請求項１乃至７のいずれか１項に記載の安定具であって、
前記取付部材は、
床面に載置可能であって、前記床面に対して前記バイブレータを支持する第１支持部材と、
前記第１支持部材に設けられて前記バイブレータを支持する第２支持部材と、
前記第１支持部材を、前記当接部材と連結させるための連結部材とを備え、
前記第１支持部材は、前記床面に対して、少なくとも部分的に傾斜しており、前記第１支持部材と前記第２支持部材の少なくともいずれか一方は、前記バイブレータを取り付けるための取付部を形成していることを特徴とする、安定具。
【請求項９】
請求項８に記載の安定具であって、
前記第１支持部材は、前記バイブレータが振動している間、前記バイブレータに当接可能な位置に設けられたストッパー部材を有していることを特徴とする、安定具。
【請求項１０】
請求項８又は９に記載の安定具であって、
前記第１支持部材には、前記床面と接触して、前記バイブレータが振動している間、前記安定具に伝わる衝撃を弱めるための緩衝部材が取り付けられていることを特徴とする、安定具。
【請求項１１】
バイブレータ本体と、
請求項１乃至１０のいずれか１項に記載の安定具とを備えた、
安定具付きバイブレータ。
【請求項１２】
請求項１１に記載の安定具付きバイブレータであって、前記バイブレータ本体は、人体に接触する一対の突起を有する振動体を備えていることを特徴とする、安定具付きバイブレータ。
【請求項１３】
バイブレータ本体と、
請求項９に記載の安定具とを備えた、安定具付きバイブレータであって、前記ストッパー部材は、前記振動体に隣接する位置に取り付けられていることを特徴とする、安定具付きバイブレータ。
【請求項１４】
バイブレータ本体と、
請求項９に記載の安定具とを備えた、安定具付きバイブレータであって、
前記第１支持部材には、前記床面と接触して、前記バイブレータが振動している間、前記安定具に伝わる衝撃を弱めるための緩衝部材が取り付けられており、且つ、前記ストッパー部材は、前記振動体に隣接する位置に取り付けられていることを特徴とする、安定具付きバイブレータ。
【請求項１５】
請求項１１乃至１４のいずれか１項に記載の安定具付きバイブレータであって、前記バイブレータ本体は、更に、前記バイブレータ本体を駆動するモータの作動時間を制御するタイマーを備えていることを特徴とする、安定具付きバイブレータ。
【発明の詳細な説明】
【技術分野】
【０００１】
本発明は、高速振動するバイブレータの姿勢又は位置を安定させるための安定具に関する。
【背景技術】
【０００２】
従来、例えば医療用又は家庭用マッサージ機として用いられるバイブレータの一例として、側面にハンドルが突設された略直方体のケーシングと、ケーシング内部に設けられた駆動モータに振動子を介して連結された振動プレートと、該振動プレートに固定された振動体とを備えたバイブレータがある（特許文献１参照）。振動体は、人体との接触面を有している。このバイブレータでは、ケーシング内部の駆動モータ等により、振動プレートを介して振動体が高速で振動させられる。このとき、振動体の接触面を人体の足裏や腰、首などに押し当てると、振動作用によるマッサージ効果が得られる。使用中は、高速で振動する振動体を保持するため、ケーシングの側面に設けられたハンドルが、マッサージを受ける使用者自身、またはその補助者によって把持される。
【特許文献１】特開平６−２０９９７４号
【発明の開示】
【発明が解決しようとする課題】
【０００３】
しかしながら、上記従来例には以下のような問題点がある。すなわち、使用中、高速振動によって、使用者の体のマッサージを受けたい部分からバイブレータの接触面がずれ易く、所望のマッサージ効果を得ることが難しい。高速振動している振動体の接触面が所望の位置からずれないようにするためには、使用者または補助者がハンドルを一定の力で保持する必要があるが、このことは、該使用者または補助者の手を疲れさせる。また、バイブレータを、ハンドルを用いることなく、使用者の体の上や床面に載置して使用する場合があるが、このような場合、振動体の接触面は、所望の位置から一層ずれ易くなる。
【課題を解決するための手段】
【０００４】
本発明の目的は、上記問題点を解消し、高速振動するバイブレータの接触面が使用中に所望の位置からずれることを防止するためのバイブレータ用安定具、及びそのような安定具を備えたバイブレータを提供することを目的とする。
【０００５】
請求項１の発明によれば、バイブレータに取り付けられてこのバイブレータの姿勢を人体に対して安定させるための安定具が提供される。この安定具は、該安定具を前記バイブレータに取り付けるための取付部材と、前記取付部材に連結されると共に人体に当接する当接部材とを備え、前記当接部材は、人体の当接部位における表面形状に対応して形成されている。この構成により、使用中に高速振動するバイブレータの接触面が、使用者の体からずれることを防止することができるので、使用者は、常に所望の位置で所望のマッサージ効果を得ることができる。
【０００６】
請求項２の発明によれば、請求項１の発明の特徴に加え、前記当接部材は、略円形の断面を有する管状部材である。この構成により、当接部材の強度が向上し、且つ、小さい接触面積で効果的にバイブレータの姿勢又は位置を安定させることができる。尚、本明細書においてバイブレータの「姿勢」とは、通常の用語としての「姿勢」と同様の意味を有する他、バイブレータの人体に対する位置をも意味するものである。従って、「バイブレータの姿勢を安定させる」とは、例えば、バイブレータが水平方向に対して直立した状態を維持したまま前後左右に移動することを防止することも含まれる。また、振動中に当接部材の端部が使用者の体に当たって痛みや刺激を生じさせるおそれがなく、さらには、脚のふくらはぎ部分等、曲面を形成する人体の部分に追従しやすいので、快適に使用することができる。
【０００７】
請求項３の発明によれば、請求項１の発明の特徴に加え、前記当接部材は、略楕円形の断面を有する管状部材である。この構成によれば、当接部材の人体との接触面積が大きくなるので、安定性がより高くなり、バイブレータの接触面の位置ずれがより効果的に防止される。
【０００８】
請求項４の発明によれば、請求項１の発明の特徴に加え、前記当接部材は、一定の厚みを有する板状部材であり、且つ、前記人体の前記当接部位における表面形状に対応して湾曲している。この構成により、背中や腰など、比較的平坦な人体の部分を両側から保持できるので、特に人体を横断する方向（左右方向）の位置が安定し、効果的にバイブレータの接触面の位置ずれを防止できる。
【０００９】
請求項５の発明によれば、請求項１乃至４のいずれか１項の発明の特徴に加え、前記取付部材は、前記取付部材を屈曲させることを可能にする角度調整機構を備えている。この構成によれば、人体の、振動体に接触する部分（例えば、臀部）と当接部材に当接する部分（例えば、背中）との厚みの差に関わらず、当接部材を人体に十分に当接させてバイブレータの姿勢又は位置を効果的に安定させることができる。
【００１０】
請求項６の発明によれば、請求項１乃至５のいずれか１項の発明の特徴に加え、前記取付部材は、前記バイブレータにおける人体との接触面と前記当接部材との間隔を調節するように前記取付部材を伸縮させるための長さ調整機構を備えている。この構成によれば、バイブレータの接触面と当接部材との間隔を比較的自由に決めることができるので、人体のより安定しやすい部分に当接部材を当てることができ、バイブレータの接触面の位置ずれを効果的に防止することができる。
【００１１】
請求項７の発明によれば、請求項１乃至６のいずれか１項の発明の特徴に加え、前記安定具は、さらに、前記バイブレータの電源供給ケーブルを巻きつけるための一対の鉤部を有している。この構成により、鉤部に電源供給ケーブルを巻きつけて、バイブレータをコンパクトに収納でき且つ持ち運びやすくすることができる。
【００１２】
請求項８の発明によれば、請求項１乃至７のいずれか１項の発明の特徴に加え、前記取付部材は、床面に載置可能であって、前記床面に対して前記バイブレータを支持する第１支持部材と、前記第１支持部材に設けられて前記バイブレータを支持する第２支持部材と、前記第１支持部材を、前記当接部材と連結させるための連結部材とを備えている。前記第１支持部材は、前記床面に対して、少なくとも部分的に傾斜しており、前記第１支持部材と前記第２支持部材の少なくともいずれか一方は、前記バイブレータを取り付けるための取付部を形成している。この構成により、バイブレータを床面に対して傾斜した位置に保持することができる。また、バイブレータを第１支持部材を介して床面から支持することができるので、バイブレータの人体に対する位置を効果的に安定させることができる。
【００１３】
請求項９の発明によれば、請求項８の発明の特徴に加え、前記第１支持部材は、前記バイブレータが振動している間、前記バイブレータに当接可能な位置に設けられたストッパー部材を有している。この構成により、バイブレータの使用中に取付部に大きな力が掛かったときの、支持部材の破損を防止することができる。
【００１４】
請求項１０の発明によれば、請求項８又は９の発明の特徴に加え、前記第１支持部材には、前記床面と接触して、前記バイブレータが振動している間、前記安定具に伝わる衝撃を弱めるための緩衝部材が取り付けられている。この構成により、バイブレータの振動により安定具に伝わる衝撃を抑制し、安定具に保持されたバイブレータの位置ずれを効果的に防止することができる。
【００１５】
請求項１１の発明によれば、バイブレータ本体と、請求項１乃至１０のいずれか１項に記載の安定具とを備えた、安定具付きバイブレータが提供される。この構成により、使用中に高速振動するバイブレータの接触面が、使用者の体からずれることを防止することができるので、使用者は、常に所望の位置で所望のマッサージ効果を得ることができる。
【００１６】
請求項１２の発明によれば、請求項１１の発明の特徴に加え、前記バイブレータ本体は、人体に接触する一対の突起を有する振動体を備えている。この構成により、バイブレータの人体に対する位置がずれることなく、人体の、特に凝り等が激しい部位を局所的に強くマッサージすることができる。
【００１７】
請求項１３の発明によれば、バイブレータ本体と、請求項９に記載の安定具とを備えた、安定具付きバイブレータであって、前記ストッパー部材は、前記振動体に隣接する位置に取り付けられている。この構成により、バイブレータの使用中に取付部に大きな力が掛かったときの、支持部材の破損を防止することができる。
【００１８】
請求項１４の発明によれば、バイブレータ本体と、請求項９に記載の安定具とを備えた、安定具付きバイブレータであって、前記第１支持部材には、前記床面と接触して、前記バイブレータが振動している間、前記安定具に伝わる衝撃を弱めるための緩衝部材が取り付けられており、且つ、前記ストッパー部材は、前記振動体に隣接する位置に取り付けられている。
【００１９】
請求項１５の発明によれば、請求項１１乃至１４のいずれか１項の発明の特徴に加え、前記バイブレータ本体は、更に、前記バイブレータ本体を駆動するモータの作動時間を制御するタイマーを備えている。これにより、使用者等がバイブレータの電源スイッチを切る必要なしに、所望の一定時間内で自動的にマッサージを終了させることができる。
【発明の効果】
【００２０】
本発明によれば、バイブレータの使用中に高速振動する振動体の接触面が、使用者の体からずれることが防止され、使用者は常に所望の位置で所望のマッサージ効果を得ることができる。
【発明を実施するための最良の形態】
【００２１】
［全体概要］
以下、図面を参照して本発明を説明する。本発明の安定具は、例えば医療用及び家庭用マッサージ機として用いられ、人体との接触面を有する振動体を備えたバイブレータに用いられる。図１は、本発明に用いられるバイブレータの一例を示す斜視図である。図１に示されるように、バイブレータ１０は、側面にハンドル１１が突設された略直方体のケーシング１２と、ケーシング１２の内部に設けられた駆動モータ（図示せず）に振動子（図示せず）を介して連結された振動プレート１３と、振動プレート１３に固定された振動体１４とを備えている。振動体１４は、人体との接触面１５ａ、１５ｂを有している。マッサージを受けたい体の部位に応じて、接触面１５ａ、１５ｂのいずれを人体と接触させてもよいが、本発明の安定具が用いられる場合には、接触面１５ｂが用いられる。ケーシング１２内部に電気を供給するための電源供給ケーブル１６が、ケーシング１２の側面のハンドル１１のうちの一本を貫通して延びている。各ハンドル１１の先端はねじ部を有しており、各ハンドル１１は、このねじ部をケーシング１２の側面に形成されたねじ穴１７にねじ込むことにより取り付けられる。このようなバイブレータは公知であり、例えば、特開平６−２０９９７４号に開示されているものがある。
【００２２】
図２及び図３に、本発明のバイブレータ用安定具の一実施形態を示す。本発明のバイブレータ用安定具１は、上記のような従来のバイブレータ１０の姿勢又は位置を安定させるために用いることができるものであり、取付部材２と、当接部材３とを備えている。尚、本明細書においてバイブレータの「姿勢」とは、通常の用語としての「姿勢」と同様の意味を有する他、バイブレータの人体に対する位置をも意味するものである。従って、「バイブレータの姿勢を安定させる」とは、例えば、バイブレータが水平方向に対して直立した状態を維持したまま前後左右に移動することを防止することも含まれる。図２（Ａ）は、本発明の安定具１の正面図である。図２（Ｂ）は、上面図であり、図２（Ｃ）は、安定具１を当接部材３の長さ方向から見た側面図である。図３は、本発明の安定具１をバイブレータ１０に取り付けた状態を示す背面図である。
【００２３】
［取付部材］
本発明における取付部材２は、安定具１をバイブレータ１０に取り付けるために用いられる。取付部材２は、金属製またはプラスチック製であり、当接部材３の長手方向略中央において一端が溶接等により当接部材３に一体的に接続されており、他端には、安定具１をバイブレータ１０に取り付けるための締結具を挿入するための穴４を有している。後述されるように、本発明の安定具１は、ケーシング側面のねじ穴１７と取付部材の穴４とに締結具を挿入することにより取り付けられるため、取付部材２の穴４の寸法は、ケーシング側面のねじ穴１７よりわずかに大きいことが望ましい。本実施形態の取付部材２は、略長方形であるが、取付部材２の形状は特に限られない。例えば、取付部材の長手方向中間部の両端を内側に湾曲させた、いわゆる蝶々型でもよい。本実施形態の取付部材は、板厚約４．３ｍｍ、幅約８０ｍｍ、長さ約１２０ｍｍであるが、本発明の取付部材２の寸法はこれには限られない。例えば、取付部材２の長さを７０ｍｍ程度に短くすることもできる。また、本実施形態の取付部材２は、その全体が直線状に延びているが、屈曲していてもよい。特に、取付部材の長さが大きい場合（例えば１２０ｍｍ）は、後述するような角度調整機構を設け、屈曲部の角度が調整できるようにしてもよい。
【００２４】
［当接部材］
本発明における当接部材３は、取付部材２に溶接等によって連結されると共に人体に当接させて用いられる。
本実施形態では、当接部材３は金属製またはプラスチック製の、略円形の断面を有する管状部材である。略円形断面の管状部材は、板状の部材と比べて強度が高く、また、小さい接触面積で効果的にバイブレータ１０の接触面１５ｂの位置ずれを防止することができる。また、管状部材の円筒状の側面は、バイブレータ１０の使用中に当接部材３がわずかに振動しても、端部が使用者の体に当たって痛みや刺激を生じさせるおそれがない。さらに、管状部材の円筒状の側面は、曲面を形成する人体部分の形状に追従し易いので、例えば、バイブレータ１０を、接触面１５ｂが足裏表面と接触するように載置して、当接部材３を脚のふくらはぎ部分に当接させて使用する場合等に快適に使用される。本実施形態の当接部材３として用いられる管状部材は中空であるが、中実であってもよい。また、管状部材の断面は円形に限られず、略楕円形であってもよく、又は三角その他の多角形でもよい。断面を略楕円形又は多角形にした場合、人体との接触面積が大きくなるので、安定性がより高くなり、バイブレータ１０の接触面１５ｂの位置ずれがより効果的に防止される。さらに、管状部材を人体における当接部位の表面形状に対応するように湾曲させておけば、バイブレータ１０の、特に人体を横断する方向（左右方向）に関する姿勢又は位置を効果的に安定させることができる。
本発明の安定具１に用いられる当接部材３の長さに特に制限はなく、高速振動する振動体１４の接触面１５ｂが人体の所望の位置からずれないよう、当接部材３に当接する人体の部分の幅に対して十分な長さを有していればよい。好ましい長さは、使用されるバイブレータの寸法や当接する人体の部分により様々であるが、本実施形態では、３００ｍｍ〜４５０ｍｍの長さの当接部材を用いている。また、当接部材３の幅（直径）は、例えば、断面が略円形のものでは約３０ｍｍ、略楕円形のものでは、長軸方向に約３５ｍｍ、短軸方向に約２０ｍｍのものが用いられる。
【００２５】
［鉤部］
図に示すように、本発明の安定具１は、バイブレータ１０の電源供給ケーブル１６を巻き付けるための一対の鉤部２０を有することができる。本実施形態の鉤部２０は、溶接等により当接部材３に互いに所定間隔を隔てて取り付けられたフック状の部材である。これらに電源供給ケーブル１６を巻きつけることにより、バイブレータ１０をコンパクトに収納でき且つ持ち運びやすくすることができる。鉤部２０に巻きつけられたケーブルが自然と外れることがないように、鉤部２０は、水平方向に対して斜め上方に一定の角度で傾斜させて形成することが好ましい。バイブレータ１０は、通常、ケーシングに設けられたハンドル１１を手で持ち、振動体１４が下方に位置する状態で持ち運びされ、そのまま収納される。本実施形態では、鉤部２０は、そのようにバイブレータ１０を収納・持ち運びする際の水平方向に対して、約４５度の傾斜角度をなすように取り付けられている（図２（Ｃ）参照）。
【００２６】
次に、本実施形態の安定具１のバイブレータ１０への取り付け方法及び取り付け後の使用方法を説明する。
まず、上記したようなバイブレータ１０のケーシング１２の側面に突設したハンドル１１の一つを回転させてケーシング１２から外し、開口したねじ穴１７と取付部材の穴４を整合させ、該ねじ穴１７と螺合するねじ１８を穴に挿入して締め付ける（図３参照）。駆動モータを作動させると振動プレート１３を介して振動体１４が高速振動する。このとき、バイブレータ１０の使用者又は補助者がケーシング１２のハンドル１１を把持して、振動体１４の接触面１５ｂを使用者の体の所望の部位に押し当てると共に、他の適当な部位に当接部材３を当接させる。当接部材３は、振動体１４と反対側の位置で、取付部材２を介してケーシング１２に固定されている。そのため、当接部材３に伝わる振動は小さく、当接部材３はその使用当初の位置でほぼ安定する。このため、当接部材３と連結されたバイブレータ１０の振動体１４の振動中の位置もまた、ほぼ使用当初の位置に保持される。その結果、振動体１４の接触面１５ｂは、使用者の体の所望の位置からずれることがない。こうして、使用者は常に所望の位置で、振動作用による所望のマッサージ効果を得ることができる。このような位置ずれ防止効果は、バイブレータ１０を、ハンドル１１を用いることなく、使用者の体の上や床面に載置して使用する場合に特に顕著である。
【００２７】
尚、本発明の安定具１はねじ１８等の締結具によってケーシング１２に接続されるので、着脱自在であり、使用の度にケーシング１２に対する取り付け位置を変えることができる。また、本発明の安定具１を２つ以上接続させることも可能である。特に、本実施形態の安定具１と後述する第２実施形態の安定具の両方を取り付ければ、人体の様々な部位にバイブレータ１０を好適に使用することができる。本実施例では締結具にねじを用いているが、締結具はねじに限られない。ケーシングとハンドルの接続方法に応じて、他の締結具を用いてよい。
【００２８】
［第２の実施形態］
図４及び５に本発明の第２の実施形態を示す。上記第１の実施形態では、当接部材３は管状部材であるが、第２の実施形態では、当接部材３を一定の厚みを有する板状の当接部材３２とし、当接部材３２は、人体における当接部位の表面形状に対応するように湾曲させられている（特に図５を参照）。このように湾曲した板状の当接部材３２を用いることにより、背中や腰など、比較的平坦な人体の部分を両側から保持することができるので、バイブレータ１０の、特に人体を横断する方向（左右方向）に関する姿勢又は位置を効果的に安定させることができる。従って、例えば、当接部材３２で背中を保持しつつ振動体１４の接触面１５ｂを腰に押し当ててマッサージしたり、当接部材３２で腰を保持しつつ接触面１５ｂを臀部に押し当ててマッサージしたりする場合などに適している。なお、同様の効果が、取付部材３２を湾曲させることなく、別個の突起部材を、取付部材３２における、人体と当接する側の長手方向両端部に取り付けることによっても得ることができる。また、上述した鉤部は、板状の当接部材３２に取り付けることもできる。
【００２９】
［第３の実施形態］
本発明の第３の実施形態では、取付部材２は、取付部材２を屈曲させることを可能にする角度調整機構を備えている。これにより、人体における、当接部材３（または３２）と当接させたい部分の高さに合わせて取付部材２を屈曲させることができる。人体における、振動体接触面１５ｂに接触する部分と当接部材３（または３２）に当接する部分との厚みに差がある場合（例えば背中と臀部）には当接部材を十分に当接させることが難しいが、本実施形態の角度調整機構があればそのような差に関わらず、当接部材を人体に十分に当接させて、バイブレータ接触面１５ｂの位置ずれを効果的に防止することができる。角度調整機構の例としては、例えばヒンジ機構やラチェット機構等が挙げられる。
【００３０】
［第４の実施形態］
本発明の第４の実施形態では、取付部材２は、当接部材３（または３２）とバイブレータ１０の接触面１５ｂとの間隔を調整できるように取付部材２を伸縮させるための、長さ調整機構を備えている。例えば、取付部材２を長手方向に２分割し、両者を互いに対して接近又は離間する方向にスライドさせることにより相対位置を変化させ、所望の位置で締結具を用いて固定することができる。具体的には、分割された一方の取付部材２に複数のねじ穴を設け、これらのうち一つのねじ穴と、他方の取付部材２に設けられたねじ穴とを整合させ、両方の穴にねじを挿入して締め付ける。これにより、当接部材と接触面１５ｂとの間隔を自由に決めることができるので、人体のより安定しやすい部位に当接部材を当てることができ、これにより振動体の接触面の位置ずれを効果的に防止することができる。
【００３１】
［第５の実施形態］
図６乃至図８に、本発明の第５の実施形態の安定具１００を示す。図６（Ａ）は、本実施形態の安定具１００の正面図である。図６（Ｂ）は上面図、図７は背面図である。図８は  安定具１００をバイブレータに取り付けた状態を示す側面図である。本実施形態では、安定具１００は、図８に示されるようなバイブレータ２００と共に用いられる。バイブレータ２００は、人体との接触面に一対の突起２０１ａ、２０１ｂを有する振動体２０１を備えている点が、上記した従来のバイブレータと異なっている。このような突起２０１ａ、２０１ｂを設けることで、人体の、特に凝り等が激しい部位を局所的に強くマッサージすることができる。突起２０１ａ、２０１ｂは、人体の接触部位に不要な痛みや刺激を生じさせないよう、先端に丸みをつけた、断面が円形または楕円形のものが好ましい。突起２０１ａ、２０１ｂが設けられる振動体２０１の素材は、例えば、木製、又はプラスチック製である。突起２０１ａ、２０１ｂは、振動体２０１と一体に形成されていてもよいし、または、別個の部材として振動体２０１に差し込むようにして取り付けられてもよい。
【００３２】
尚、本実施形態の安定具１００は、このような突起を有しない、従来のバイブレータに取り付けることもできる。また、一対の突起を有する振動体を備えたバイブレータ２００は、上記実施形態１乃至４の安定具と共に用いることもできる。
本実施形態の安定具１００では、取付部材の構成が第１乃至第４実施形態のものとは異なっている。本実施形態で用いられる取付部材は、床面４００に載置可能であって、床面４００に対してバイブレータ２００を支持する第１支持部材１０１と、第１支持部材１０１に設けられてバイブレータ２００を支持する第２支持部材１０２と、第１支持部材１０１を、当接部材１０３と連結させるための連結部材１０４ａ、１０４ｂとを備えている。第１支持部材１０１は、床面４００に対して、少なくとも部分的に傾斜しており、第１支持部材１０１と第２支持部材１０２の少なくともいずれか一方が、バイブレータ２００を取り付けるための取付部を形成している。特に、図８に示されるように、本実施形態の安定具１００によれば、バイブレータ２００を床面４００から傾斜した位置に保持することができる。このように傾斜した位置に保持されたバイブレータ２００を用いて、使用者は足の裏や親指、ふくらはぎ部分のマッサージを好適に行うことができる。
【００３３】
[第１支持部材]
本実施形態における第１支持部材１０１は、図８の略水平方向に延びた状態で床面４００に載置することができる。第１支持部材１０１は、互いに略平行に配置された一対のバー１０１ａ、１０１ｂを備えている。一対のバー１０１ａ、１０１ｂは床面４００に対して僅かに湾曲しており、これらバー１０１ａ、１０１ｂの間を横断するように延びている、平坦な傾斜板１０１ｃを介して互いに接続されている。傾斜板１０１ｃは、バー１０１ａ、１０１ｂと一体的に設けられていてよいが、本実施形態では、傾斜板１０１ｃは、各バー１０１ａ、１０１ｂの一部を構成するように取り付けられた別個の部材である。また、傾斜板１０１ｃは必ずしも平坦である必要はなく、湾曲させることもできる。傾斜板１０１ｃの長手方向略中央部には、安定具１００をバイブレータ２００に取り付けるための締結具３００を挿入するための穴（図示せず）が形成されている。この穴とバイブレータ２００のケーシング側面のねじ穴に締結具３００を挿入することにより、バイブレータ２００が安定具１００に固定される。このように、バイブレータ２００のケーシング側面が第１支持部材１０１の傾斜板１０１ｃに沿って固定されるため、バイブレータ２００は、床面４００に対して傾斜した位置に保持される。バイブレータ２００を床面４００に対して傾斜した位置に保持することができるよう、第１支持部材１０１は床面４００に対して少なくとも部分的に傾斜していればよく、その全体が傾斜している必要はない。バー１０１ａ、１０１ｂのそれぞれの長手方向両端部は、平坦部を形成しており、この平坦部に、後述する緩衝部材１０５を取り付けることができる。しかし、バーには、必ずしも平坦部を設ける必要はなく、緩衝部材１０５が取り付けられていなくてもよい。このように、本実施形態の安定具１００によれば、バイブレータ２００を、第１支持部材１０１を介して床面４００から支持することができるので、バイブレータ２００が振動している間、当接部材１０３が人体に当接すると共にバイブレータ２００が床面４００から支持されている。これにより、振動によるバイブレータ２００の人体に対する位置ずれを、より一層効果的に防止することができる。このような高い位置ずれ防止効果は、上述のような突起を有する振動体を用いて局所的に強いマッサージを行いたい場合に特に有利である。なお、第１支持部材１０１は、一対のバー１０１ａ、１０１ｂと傾斜板１０１ｃを用いる代わりに、一枚の板状部材を部分的に傾斜させることにより構成してもよい。
【００３４】
[第２支持部材]
第２支持部材１０２は、第１支持部材１０１に設けられてバイブレータ２００を支持する。本実施形態では、第２支持部材１０２は、第１支持部材１０１のバー１０１ａ、１０１ｂを横断する傾斜板１０１ｃの長手方向中央部から上方に延びている、一定の面積を有する板状の当接部１０２ａを有している。この当接部１０２ａにより、傾斜したバイブレータ２００の重量が部分的に支持される。当接部１０２ａの厚み及び面積は、バイブレータ２００を支持するために十分な強度及び大きさを実現できるものであればよい。第２支持部材１０２は、傾斜板１０１ｃと一体に形成されていてもよいし、溶接等により別個に取り付けられる部材であってもよい。また、傾斜板１０１ｃの長手方向全体にわたって延びていてもよい。本実施形態では、当接部１０２ａにおける、傾斜板１０１ｃから延びた先端部が、傾斜板と略平行に延びるように屈曲されて屈曲部１０２ｂを形成している。屈曲部１０２ｂには、安定具１００をバイブレータ２００に取り付けるための締結具３００を挿入するための穴３０１が形成されており、この穴３０１とケーシング側面のねじ穴とに締結具３００を挿入することにより、安定具１００をバイブレータ２００に固定する。これにより、バイブレータ２００は図８の上下方向両端部が第１支持部材１０１の傾斜板１０１ｃと第２支持部材１０２の屈曲部１０２ｂにそれぞれ、締結具３００により固定され、その位置が安定させられている。このように、本実施形態では、第１支持部材１０１と第２支持部材１０２とが共に、バイブレータ２００を取り付けるための取付部を形成している。しかし、バイブレータの重量や支持部材の強度によっては、本発明の安定具１００における取付部は、第１支持部材１０１又は第２支持部材１０２のいずれか一方のみによって形成されていてもよい。第２支持部材１０２は、屈曲部１０２ｂを有していなくてもよく、バイブレータ２００と安定具１００とは、必ずしも締結具３００によって固定されていなくてもよい。
【００３５】
[連結部材]
本実施形態の連結部材１０４ａ、１０４ｂは、第１支持部材１０１を、当接部材１０３と連結させるために用いられる。本実施形態では、一対の連結部材１０４ａ、１０４ｂを、それぞれ、第１支持部材の一対のバー１０１ａ、１０１ｂの各々に連結することにより、第１支持部材１０１を当接部材１０３に連結させている。しかし、連結部材１０４ａ、１０４ｂは、その設けられる位置によっては、例えば、第１支持部材１０１を横断できる幅を有する単一の部材でもよい。
【００３６】
[ストッパー部材]
本実施形態では、第１支持部材１０１に、バイブレータ２００が振動している間、バイブレータ２００に当接可能な位置に設けられたストッパー部材１０６ａ、１０６ｂが設けられている。具体的には、第１支持部材１０１の、振動体２０１と隣接する位置にバー１０１ａ、１０１ｂを横断するように延びるバーを設け、さらにこのバーから略垂直方向に延びる一対の延出部を形成し、該延出部の先端を適当な角度に屈曲させ、該屈曲部における、振動体と当接可能な位置にストッパー部材１０６ａ、１０６ｂをねじ止めしている。ストッパー部材１０６ａ、１０６ｂは、振動体２０１に当接した際の衝撃を考慮して、例えば、硬質ゴム材料等でできている。本安定具１００によれば、バイブレータ２００は、その一端側で取付部のみによって支持されている。従って、人体の重みや振動の影響でバイブレータ２００に大きな力が掛かった場合、その力は取付部のみによって支持され、取付部の、特に第１支持部材１０１の傾斜板１０１ｃが破損してしまうおそれがある。ストッパー部材１０６ａ、１０６ｂは、バイブレータ２００に大きな力が掛かった場合に、バイブレータ２００に当接し、バイブレータ２００を支持する。これにより、使用中の、特に第１支持部材１０１の破損が防止される。ストッパー部材１０６ａ、１０６ｂのバイブレータ２００に対する位置は、バイブレータ２００が使用されていない時は両者がわずかに離間し、人体の重みや振動によって大きな力が掛かった場合に両者が接触するような位置に設定することが好ましい。ストッパー部材１０６ａ、１０６ｂが常にバイブレータ２００と接触していると、バイブレータ２００の振動が小さい場合、振動が抑制されて所望のマッサージ効果を得ることができない。一方、ストッパー部材１０６ａ、１０６ｂとバイブレータ２００との距離をあまり大きく設定すると、バイブレータ２００に大きな力が掛かってもストッパー部材１０６ａ、１０６ｂに当接できず、ストッパー部材１０６ａ、１０６ｂの効果が得られない。ストッパー部材１０６ａ、１０６ｂとバイブレータ２００の間に適当な距離を確保するため、ストッパー部材１０６ａ、１０６ｂは、図示されるような、振動体２０１と隣接する位置にあることが好ましいが、これには限られず、ストッパー部材１０６ａ、１０６ｂはバイブレータ２００のケーシングに隣接していてもよい。また、ストッパー部材の数は特に限られない。
【００３７】
[緩衝部材]
本実施形態によれば、第１支持部材１０１には、床面４００と接触して、バイブレータ２００が振動している間、安定具１００に伝わる衝撃を弱めるための緩衝部材１０５が設けられている。具体的には、緩衝部材１０５は、第１支持部材１０１のバー１０１ａ、１０１ｂの長手方向両端に設けられた平坦部に取り付けられている。緩衝部材は、例えば、硬質ゴムでできており、振動により安定具１００に伝わる衝撃を抑制する他、床面４００に対する滑り止め等の効果がある。
[当接部材]
本実施形態の当接部材１０３は、上記第１乃至第４実施形態と同じものを用いることができる。
【００３８】
[第６の実施形態]
本発明の第６の実施形態によれば、バイブレータ２００にはタイマー（図示せず）が設けられている。バイブレータのケーシング内には、駆動モータと共に該駆動モータの作動を制御する制御部が設けられている。本実施形態におけるタイマーは、該制御部に接続され、設定時間経過時に駆動モータの作動を停止させるように、モータの作動時間を制御するためのものである。これにより、使用者等がバイブレータ２００の電源スイッチを切る必要なしに、所望の一定時間内で自動的にマッサージを終了させることができる。
【産業上の利用可能性】
【００３９】
本発明は、家庭用及び医療用マッサージ機などに使用されるバイブレータに適用される。
【図面の簡単な説明】
【００４０】
【図１】本発明が適用されるバイブレータの一例を示す斜視図である。
【図２】本発明の第１の実施形態による安定具を示す図であり、図２（Ａ）は正面図であり、図２（Ｂ）は上面図であり、図２（Ｃ）は、安定具を当接部材の長さ方向から見た側面図である。
【図３】本発明の安定具をバイブレータに取り付けた状態を示す背面図である。
【図４】本発明の第２の実施形態による安定具の背面図である。
【図５】本発明の第２の実施形態による安定具の上面図である。
【図６】本発明の第５実施形態による安定具を示す図であり、図６（Ａ）は正面図であり、図６（Ｂ）は上面図である。
【図７】図６に示す安定具の背面図である。
【図８】図６に示す安定具をバイブレータに取り付けた状態を示す側面図である。
【符号の説明】
【００４１】
１、１００  安定具
２  取付部材
３、３２、１０３  当接部材
４  穴
１０、２００  バイブレータ
１１  ハンドル
１２  ケーシング
１３  振動プレート
１４、２０１  振動体
１５ａ、１５ｂ  接触面
１６  電源供給ケーブル
１７  ねじ穴
１８  ねじ
２０  鉤部
１０１  第１支持部材
１０１ａ、１０１ｂ  バー
１０１ｃ  傾斜板
１０２  第２支持部材
１０２ａ  当接部
１０２ｂ  屈曲部
１０４ａ、１０４ｂ  連結部材
１０５  緩衝部材
１０６ａ、１０６ｂ  ストッパー部材
２０１ａ、２０１ｂ  突起
３００  締結具
３０１  穴
４００  床面
【図１】
2008125869.tif 000003
【図２】
2008125869.tif 000004
【図３】
2008125869.tif 000005
【図４】
2008125869.tif 000006
【図５】
2008125869.tif 000007
【図６】
2008125869.tif 000008
【図７】
2008125869.tif 000009
【図８】
2008125869.tif 000010
【手続補正書】
【提出日】平成19年2月14日(2007.2.14)
【手続補正１】
【補正対象書類名】特許請求の範囲
【補正対象項目名】請求項１
【補正方法】変更
【補正の内容】
【請求項１】
バイブレータに取り付けられてこのバイブレータの姿勢を人体に対して安定させるための安定具であって、前記安定具は、
前記安定具を前記バイブレータに取り付けるための、所定の長さを有する取付部材であって、長さ方向に沿って第１の端部と第２の端部を有しており、前記第１の端部が前記バイブレータに取り付けられ、前記第２の端部が前記バイブレータから離間する方向に延びる前記取付部材と、
前記第２の端部で前記取付部材に連結されると共に人体に当接する当接部材とを備え、
前記当接部材は、剛性を有し、且つ、人体の当接部位における表面形状に対応して形成されていることを特徴とする安定具。
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
バイブレータに取り付けられてこのバイブレータの姿勢を人体に対して安定させるための安定具であって、前記安定具は、
前記安定具を前記バイブレータに取り付けるための、所定の長さを有する取付部材であって、長さ方向に沿って第１の端部と第２の端部を有しており、前記第１の端部が前記バイブレータに取り付けられ、前記第２の端部が前記バイブレータから離間する方向に延びる前記取付部材と、
前記第２の端部で前記取付部材に連結されると共に人体に載置可能である当接部材とを備え、
前記当接部材は、金属及びプラスチックから選ばれる少なくとも１つの材料から形成されており、且つ、人体における、前記当接部材が載置される部位の表面形状に対応して形成されていることを特徴とする安定具。